(57)【要約】  ダウンリンクにより通信されるリンク割り当てブロック(ＬＡＢ)にインデックスを割り当てることを容易にするシステム及び方法が記載されている。第１のサブセットのインデックスは、複数のアクセス端末によって復号される共有ＬＡＢに割り振られる。第２のサブセットのインデックスは、各々が特定の受信者のアクセス端末を対象としている非共有ＬＡＢに割り当てられる。各非共有ＬＡＢのためのインデックスの割り当ては、対象受信者のアクセス端末に対応する識別子のハッシュ及び／又はアクセス端末の能力に基づくことができる。さらに、アクセス端末は、対応するインデックスに基づいてＬＡＢを復号することができる。第１の範囲のインデックスを有するＬＡＢは、共有ＬＡＢとして識別して復号することができる。さらに、アクセス端末は、復号すべき非共有ＬＡＢに対応する第２の範囲のインデックスを決定することができ、第２の範囲のインデックスは、基地局によって送られるフレーム中の非共有ＬＡＢに対応する全てのインデックスよりも少ないインデックスを含む。【選択図】    図１２
2010517489.tif 000002
【特許請求の範囲】
【請求項１】
無線通信環境において制御メッセージを含むフレームを送ることを容易にする方法であって、
制御メッセージのセットにインデックスを割り当てるステップと、
前記インデックスに基づいて、それぞれの対象受信者のアクセス端末に前記制御メッセージのそれぞれのサブセットの送信を制限するステップ
とを備える、方法。
【請求項２】
前記制御メッセージのセットに割り振られた時間−周波数資源グループの対応するサブセットに前記制御メッセージのそれぞれのサブセットの各々を制限するステップをさらに備える、請求項１の方法。
【請求項３】
前記制御メッセージは共有及び非共有リンク割り当てブロック(ＬＡＢ)を含み、
フレーム中の共有ＬＡＢにインデックスを割り当てるステップと、
前記それぞれの対象受信者のアクセス端末に対応する識別子のハッシュの関数として、前記フレーム中の非共有ＬＡＢにインデックスを割り当てるステップと、
前記割り当てられたインデックスに従って順序付けられた前記共有ＬＡＢ及び前記非共有ＬＡＢを含む前記フレームを送信するステップ
とをさらに備える、請求項1の方法。
【請求項４】
前記共有ＬＡＢに割り当てられた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、請求項３の方法。
【請求項５】
アクセス端末の能力と前記識別子の前記ハッシュとに基づいて、前記フレーム中の前記非共有ＬＡＢに前記インデックスを割り当てるステップをさらに備える、請求項３の方法。
【請求項６】
前記識別子は、前記それぞれの対象受信者のアクセス端末に対応するＭＡＣＩＤである、請求項５の方法。
【請求項７】
前記非共有ＬＡＢに割り当てられた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理(ＰＨＹ)フレームで送信されるＬＡＢの最大数を示す、請求項６の方法。
【請求項８】
共通のアクセス端末に宛てられた非共有ＬＡＢが通信されるＬＡＢセグメントの数を最小化することによって前記非共有ＬＡＢのためのインデックスの割り当てを最適化するために前記識別子の前記ハッシュを調整するステップをさらに備える、請求項３の方法。
【請求項９】
順方向リンク共有制御チャネル(Ｆ−ＳＣＣＨ)により前記フレームを送信するステップをさらに備える、請求項３の方法。
【請求項１０】
前記共有ＬＡＢ及び前記非共有ＬＡＢは、帯域幅又はパケットフォーマットの少なくとも一方に関係する割り当てに関する情報を提供する、請求項３の方法。
【請求項１１】
制御メッセージのセットにインデックスを割り当てて、前記インデックスに基づいて、それぞれの対象受信者のアクセス端末に前記制御メッセージのそれぞれのサブセットの送信を制限することに関する命令を保持するメモリと、
前記メモリに保持されている前記命令を実行するように構成された、前記メモリに接続された、プロセッサ
とを備える、無線通信装置。
【請求項１２】
前記メモリは、前記制御メッセージのセットに割り振られた時間−周波数資源グループの対応するサブセットに前記制御メッセージのそれぞれのサブセットの各々を制限することに関する命令をさらに保持する、請求項１１の無線通信装置。
【請求項１３】
前記制御メッセージは共有及び非共有リンク割り当てブロック(ＬＡＢ)を含み、前記メモリは、物理フレーム中の共有ＬＡＢにインデックスを割り振って、前記それぞれの対象受信者のアクセス端末に対応するＭＡＣＩＤのハッシュの関数として、前記物理フレーム中の個別ＬＡＢにインデックスを割り振って、前記割り振られたインデックスに従って順序付けられた前記共有ＬＡＢ及び前記個別ＬＡＢを含む前記物理フレームを送信することに関する命令をさらに保持する、請求項１１の無線通信装置。
【請求項１４】
前記共有ＬＡＢに割り振られた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、請求項１３の無線通信装置。
【請求項１５】
前記メモリは、アクセス端末の能力と前記ＭＡＣＩＤの前記ハッシュとに基づいて、前記物理フレーム中の前記個別ＬＡＢに前記インデックスを割り振ることに関する命令をさらに保持する、請求項１３の無線通信装置。
【請求項１６】
前記個別ＬＡＢに割り振られた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理フレームで送信されるＬＡＢの最大数を示す、請求項１５の無線通信装置。
【請求項１７】
前記メモリは、共通のアクセス端末に宛てられた個別ＬＡＢが通信されるＬＡＢセグメントの数を最小化することによって前記個別ＬＡＢのためのインデックスの割り振りを最適化するために前記ＭＡＣＩＤの前記ハッシュを調整することに関する命令をさらに保持する、請求項１３の無線通信装置。
【請求項１８】
前記共有ＬＡＢ及び前記個別ＬＡＢは、帯域幅又はパケットフォーマットの少なくとも一方に関係する割り当てに関する情報を提供する、請求項１３の無線通信装置。
【請求項１９】
無線通信環境においてリンク割り当てブロック（ＬＡＢ）にインデックスを割り当てて、それに基づいてＬＡＢを編成することを可能にする無線通信装置であって、
共有ＬＡＢにインデックスを割り振る手段と、
アクセス端末の能力とそれぞれの対象受信者のアクセス端末の識別子のハッシュとに基づいて、非共有ＬＡＢにインデックスを割り付ける手段と、
前記割り当てられたインデックスに基づいて編成された前記共有ＬＡＢ及び前記非共有ＬＡＢを送る手段
とを備える、無線通信装置。
【請求項２０】
時間−周波数資源グループのそれぞれの対応するサブセットに共有ＬＡＢ及び非共有ＬＡＢのサブセットの転送を制限する手段をさらに備える、請求項１９の無線通信装置。
【請求項２１】
前記共有ＬＡＢに割り振られた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、請求項１９の無線通信装置。
【請求項２２】
前記識別子は前記それぞれの対象受信者のアクセス端末のＭＡＣＩＤである、請求項１９の無線通信装置。
【請求項２３】
前記非共有ＬＡＢに割り付けられた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理フレームで送信されるＬＡＢの最大数を示す、請求項２２の無線通信装置。
【請求項２４】
共通のアクセス端末に宛てられた非共有ＬＡＢが通信されるＬＡＢセグメントの数を最小化することによって前記非共有ＬＡＢのためのインデックスの割り振りを最適化するために前記識別子の前記ハッシュを変更する手段をさらに備える、請求項１９の無線通信装置。
【請求項２５】
前記共有ＬＡＢ及び前記非共有ＬＡＢは割り当てに関する情報を提供する、請求項１９の無線通信装置。
【請求項２６】
制御メッセージのセットにインデックスを割り当てて、
前記インデックスに基づいて、それぞれの対象受信者のアクセス端末に前記制御メッセージのそれぞれのサブセットの送信を制限する、
機械実行可能命令を記憶させた機械読み出し可能媒体。
【請求項２７】
前記機械実行可能命令は、前記制御メッセージのセットに割り振られた時間−周波数資源グループの対応するサブセットに前記制御メッセージのそれぞれのサブセットの各々を制限することをさらに備える、請求項２６の機械読み出し可能媒体。
【請求項２８】
前記制御メッセージは共有及び非共有リンク割り当てブロック(ＬＡＢ)を含む、請求項２６の機械読み出し可能媒体。
【請求項２９】
前記機械実行可能命令は、
フレーム中の共有ＬＡＢにインデックスを割り当てて、
アクセス端末の能力と前記それぞれの対象受信者のアクセス端末の識別子のハッシュとに基づいて、前記フレーム中の非共有ＬＡＢにインデックスを割り当てて、
前記インデックスに基づいて、前記フレームに前記共有ＬＡＢ及び前記非共有ＬＡＢを配置して、
前記配置された共有ＬＡＢおよび非共有ＬＡＢを有するフレームを送ること
をさらに備える、請求項２８の機械読み出し可能媒体。
【請求項３０】
前記共有ＬＡＢに割り当てられた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、請求項２９の機械読み出し可能媒体。
【請求項３１】
前記識別子は前記それぞれの対象受信者のアクセス端末のＭＡＣＩＤである、請求項２９の機械読み出し可能媒体。
【請求項３２】
前記非共有ＬＡＢに割り当てられた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理フレームで送信されるＬＡＢの最大数を示す、請求項３１の機械読み出し可能媒体。
【請求項３３】
前記機械実行可能命令は、共通のアクセス端末に宛てられた非共有ＬＡＢが通信されるＬＡＢセグメントの数を最小化することによって前記非共有ＬＡＢのためのインデックスの割り振りを最適化するために前記識別子の前記ハッシュを変更することをさらに備える、請求項２９の機械読み出し可能媒体。
【請求項３４】
無線通信システムにおいて、
制御メッセージのセットにインデックスを割り当てて、
前記インデックスに基づいて、それぞれの対象受信者のアクセス端末に前記制御メッセージのそれぞれのサブセットの送信を制限する
ように構成されたプロセッサ、
を備える装置。
【請求項３５】
無線通信環境において制御メッセージのサブセットを復号することを容易にする方法であって、
インデックスを付けられた制御メッセージのセットを受信するステップと、
対応するインデックスに基づいて識別された前記インデックスを付けられた制御メッセージのサブセットを復号するステップ
とを備える、方法。
【請求項３６】
前記復号される制御メッセージのサブセットは、前記制御メッセージのセットに割り振られた時間−周波数資源グループのサブセットに制限される、請求項３５の方法。
【請求項３７】
前記制御メッセージは共有及び非共有リンク割り当てブロック(ＬＡＢ)を含み、
インデックスを付けられたＬＡＢを含むフレームをアクセス端末において受信するステップと、
第１の範囲のインデックスに基づいて識別された共有ＬＡＢを復号するステップと、
前記アクセス端末に対応する識別子のハッシュに少なくとも部分的に基づいて、第２の範囲のインデックスを決定するステップと、
前記第２の範囲のインデックスに基づいて識別された非共有ＬＡＢを復号するステップ
とをさらに備える、請求項３５の方法。
【請求項３８】
前記第１の範囲のインデックスは、０からＭａｘＮｕｍＳｈａｒｅｄＬＡＢｓ−１までであり、ＭａｘＮｕｍＳｈａｒｅｄＬＡＢｓは、複数のアクセス端末によって復号されるＬＡＢの最大数を示す、請求項３７の方法。
【請求項３９】
前記識別子は前記アクセス端末のＭＡＣＩＤである、請求項３７の方法。
【請求項４０】
前記アクセス端末の能力と前記ＭＡＣＩＤの前記ハッシュとに基づいて、前記第２の範囲のインデックスを決定するステップをさらに備える、請求項３９の方法。
【請求項４１】
前記第２の範囲のインデックスは、基地局によって送られた前記フレーム中の非共有ＬＡＢに対応する全てのインデックスよりも少ないインデックスを含む、請求項４０の方法。
【請求項４２】
前記第２の範囲のインデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、前記アクセス端末が復号する非共有ＬＡＢの最大数を示し、ＭａｘＮｕｍＬＡＢｓは、１つの物理フレームで送信されるＬＡＢの最大数を示す、請求項４０の方法。
【請求項４３】
ＬＡＢセグメントがＯＦＤＭ資源である最少数のＬＡＢセグメントにおいて非共有ＬＡＢが取得されることを可能にするように前記第２の範囲のインデックスを操作するために前記識別子の前記ハッシュを調整するステップをさらに備える、請求項３７の方法。
【請求項４４】
前記アクセス端末が前記非共有ＬＡＢの各々のための対象受信者であるかどうかを認識するために前記非共有ＬＡＢに組み込まれた識別子を評価するステップをさらに備える、請求項３７の方法。
【請求項４５】
インデックスを付けられた制御メッセージのセットを取得して、対応するインデックスに基づいて識別された前記インデックスを付けられた制御メッセージのサブセットを復号することに関する命令を保持するメモリと、
前記メモリに保持されている前記命令を実行するように構成された、前記メモリに接続された、プロセッサ
とを備える、無線通信装置。
【請求項４６】
前記復号される制御メッセージのサブセットは、前記制御メッセージのセットに割り振られた時間−周波数資源グループのサブセットに制限される、請求項４５の無線通信装置。
【請求項４７】
前記制御メッセージは共有及び非共有リンク割り当てブロック(ＬＡＢ)を含み、前記メモリは、ＬＡＢを含むフレームを取得して、第１の範囲のインデックスに基づいて認識された共有ＬＡＢを復号して、アクセス端末に対応するＭＡＣＩＤのハッシュの関数として、第２の範囲のインデックスを解読して、前記第２の範囲のインデックスに基づいて認識された非共有ＬＡＢを復号することに関する命令をさらに保持する、請求項４５の無線通信装置。
【請求項４８】
前記第１の範囲のインデックスは、０からＭａｘＮｕｍＳｈａｒｅｄＬＡＢｓ−１までであり、ＭａｘＮｕｍＳｈａｒｅｄＬＡＢｓは、複数のアクセス端末によって復号されるＬＡＢの最大数を示す、請求項４７の無線通信装置。
【請求項４９】
前記メモリは、前記アクセス端末の能力基準と前記ＭＡＣＩＤの前記ハッシュとに基づいて、前記第２の範囲のインデックスを解読することに関する命令をさらに保持する、請求項４７の無線通信装置。
【請求項５０】
前記第２の範囲のインデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、前記アクセス端末が復号する非共有ＬＡＢの最大数を示し、ＭａｘＮｕｍＬＡＢｓは、１つの物理フレームで送信されるＬＡＢの最大数を示す、請求項４９の無線通信装置。
【請求項５１】
前記第２の範囲のインデックスは、前記フレーム中の非共有ＬＡＢに対応する全てのインデックスよりも少ないインデックスを含む、請求項４７の無線通信装置。
【請求項５２】
前記メモリは、ＬＡＢセグメントがＯＦＤＭ資源である最少数のＬＡＢセグメントにおいて非共有ＬＡＢが取得されることを可能にするように前記第２の範囲のインデックスを操作するために前記ＭＡＣＩＤの前記ハッシュを調整することに関する命令をさらに保持する、請求項４７の無線通信装置。
【請求項５３】
前記メモリは、前記アクセス端末が前記非共有ＬＡＢの各々のための対象受信者であるかどうかを認識するために前記アクセス端末のＭＡＣＩＤと前記非共有ＬＡＢ中の符号化されたＭＡＣＩＤとを比較することに関する命令をさらに保持する、請求項４７の無線通信装置。
【請求項５４】
無線通信環境において受信リンク割り当てブロック（ＬＡＢ）のサブセットを復号することを可能にする無線通信装置であって、
第１の範囲のインデックスに基づいて認識された共有ＬＡＢを復調する手段と、
アクセス端末の識別子のハッシュとアクセス端末の能力基準とに基づいて、第２の範囲のインデックスを識別する手段と、
前記第２の範囲のインデックスに基づいて認識された非共有ＬＡＢを復調する手段
とを備える、無線通信装置。
【請求項５５】
前記復調された非共有ＬＡＢは時間−周波数資源グループのサブセットに制限される、請求項５４の無線通信装置。
【請求項５６】
前記第１の範囲のインデックスは、０からＭａｘＮｕｍＳｈａｒｅｄＬＡＢｓ−１までであり、ＭａｘＮｕｍＳｈａｒｅｄＬＡＢｓは、複数のアクセス端末によって復調されるＬＡＢの最大数を示す、請求項５４の無線通信装置。
【請求項５７】
前記アクセス端末の識別子はＭＡＣＩＤであり、前記第２の範囲のインデックスはＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復調されるＬＡＢの最大数を示し、ＭａｘＮｕｍＩｎｄｉｖＬＡＢＤｅｃは、アクセス端末が復調する非共有ＬＡＢの最大数を示し、ＭａｘＮｕｍＬＡＢｓは、１つの物理フレームで送信されるＬＡＢの最大数を示す、請求項５４の無線通信装置。
【請求項５８】
前記第２の範囲のインデックスは、前記フレーム中の非共有ＬＡＢに対応する総数よりも少ないインデックスを含む、請求項５４の無線通信装置。
【請求項５９】
ＬＡＢセグメントがＯＦＤＭ資源である最少数のＬＡＢセグメントにおいて非共有ＬＡＢが取得されることを可能にするように前記第２の範囲のインデックスを操作するために前記アクセス端末の識別子の前記ハッシュを調整する手段をさらに備える、請求項５４の無線通信装置。
【請求項６０】
前記アクセス端末が前記非共有ＬＡＢの各々のための対象受信者であるかどうかを認識するために前記アクセス端末の識別子と前記非共有ＬＡＢ中の符号化された識別子とを比較する手段をさらに備える、請求項５４の無線通信装置。
【請求項６１】
インデックスを付けられた制御メッセージのセットを受信して、
対応するインデックスに基づいて識別された前記インデックスを付けられた制御メッセージのサブセットを復号する
機械実行可能命令を記憶させた機械読み出し可能媒体。
【請求項６２】
前記復号される制御メッセージのサブセットは、前記制御メッセージのセットに割り振られた時間−周波数資源グループのサブセットに制限される、請求項６１の機械読み出し可能媒体。
【請求項６３】
前記制御メッセージは共有及び非共有リンク割り当てブロック(ＬＡＢ)を含む、請求項６１の機械読み出し可能媒体。
【請求項６４】
前記機械実行可能命令は、
ＬＡＢを含むフレームを取得して、
第１の範囲のインデックスに基づいて認識された共有ＬＡＢを復号して、
アクセス端末に対応するＭＡＣＩＤのハッシュの関数として、第２の範囲のインデックスを解読して、
前記第２の範囲のインデックスに基づいて認識された非共有ＬＡＢを復号する
ことをさらに備える、請求項６３の機械読み出し可能媒体。
【請求項６５】
前記第１の範囲のインデックスは、０からＭａｘＮｕｍＳｈａｒｅｄＬＡＢｓ−１までであり、ＭａｘＮｕｍＳｈａｒｅｄＬＡＢｓは複数のアクセス端末によって復号されるＬＡＢの最大数を示す、請求項６４の無線通信装置。
【請求項６６】
前記機械実行可能命令は、前記アクセス端末の能力基準と前記ＭＡＣＩＤの前記ハッシュとに基づいて、前記第２の範囲のインデックスを解読することをさらに備える、請求項６４の機械読み出し可能媒体。
【請求項６７】
前記第２の範囲のインデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、前記アクセス端末が復号する非共有ＬＡＢの最大数を示し、ＭａｘＮｕｍＬＡＢｓは、１つの物理フレームで送信されるＬＡＢの最大数を示す、請求項６６の機械読み出し可能媒体。
【請求項６８】
前記第２の範囲のインデックスは、前記フレーム中の非共有ＬＡＢに対応する全てのインデックスよりも少ないインデックスを含む、請求項６４の機械読み出し可能媒体。
【請求項６９】
ＬＡＢセグメントがＯＦＤＭ資源である最少数のＬＡＢセグメントにおいて非共有ＬＡＢが取得されることを可能にするように前記第２の範囲のインデックスを操作するために前記ＭＡＣＩＤの前記ハッシュを調整することをさらに備える、請求項６４の機械読み出し可能媒体。
【請求項７０】
前記機械実行可能命令は、前記アクセス端末が前記非共有ＬＡＢの各々のための対象受信者であるかどうかを認識するために前記アクセス端末の前記ＭＡＣＩＤと前記非共有ＬＡＢ中の符号化されたＭＡＣＩＤとを比較することをさらに備える、請求項６４の機械読み出し可能媒体。
【請求項７１】
無線通信システムにおいて、
インデックスを付けられた制御メッセージのセットを取得して、
対応するインデックスに基づいて識別された前記インデックスを付けられた制御メッセージのサブセットを復号する
ように構成されたプロセッサ、
を備える装置。
【発明の詳細な説明】
【技術分野】
【０００１】
関連出願の相互参照
本願は、２００７年１月３０日に出願された「Ａ  ＭＥＴＨＯＤ  ＡＮＤ  ＡＰＰＡＲＡＴＵＳ  ＦＯＲ  ＵＳＩＮＧ  Ａ  ＳＨＡＲＥＤ  ＣＯＮＴＲＯＬ  ＭＡＣ  ＰＲＯＴＯＣＯＬ」との名称の米国仮特許出願第６０／８８７，３３８号の利益に権利を主張している。上記出願の全体は参照によりここに組み込まれる。
【０００２】
以下の記載は、概ね無線通信、より具体的には無線通信システムにおいてアクセス端末が基地局から転送されたリンク割り当てブロック(link assignment block, LAB)のサブセットを復号することができるようにすることに関する。
【背景技術】
【０００３】
無線通信システムは様々なタイプの通信を提供するために広く配備されており、例えば、音声及び／又はデータはこのような無線通信システムにより提供することができる。典型的な無線通信システム、すなわちネットワークは、１つ以上の共有資源(例えば、帯域幅、送信電力、・・・）に複数のユーザアクセスを提供することができる。例えば、システムは周波数分割多重化(Frequency Division Multiplexing, FDM)、時分割多重化(Time Division Multiplexing, TDM)、符号分割多重化(Code Division Multiplexing, CDM)、直交周波数分割多重化(Orthogonal Frequency Division Multiplexing, OFDM)などのような様々な多元接続技術を使用することができる。
【０００４】
一般に、無線多元接続通信システムは複数のアクセス端末の通信を同時にサポートすることができる。各アクセス端末は、順方向及び逆方向リンクにおける送信によって１つ以上の基地局と通信することができる。順方向リンク(又はダウンリンク)は基地局からアクセス端末への通信リンクを指し、逆方向リンク(又はアップリンク)はアクセス端末から基地局への通信リンクを指す。この通信リンクは単入力単出力（single-in-single-out）、多入力単出力(multiple-in-single-out)又は多入力多出力（multiple-in-multiple-out, MIMO)システムによって確立することができる。
【０００５】
無線通信システムは多くの場合に、受信可能エリアを提供している１つ以上の基地局を用いる。典型的な基地局はブロードキャスト、マルチキャスト及び／又はユニキャストサービスのために複数のデータストリームを送信することができる。なお、データストリームとは、アクセス端末に対して個別の受信重要性を有することができるデータのストリームであり得る。このような基地局の受信可能エリア内のアクセス端末を用いて、複合ストリームによって運ばれる１本、２本以上又は全てのデータストリームを受信することができる。同様に、アクセス端末は基地局又は別のアクセス端末にデータを送信することができる。
【０００６】
基地局はダウンリンクによってリンク割り当てブロック(ＬＡＢ)を通信することができる。各ＬＡＢは特定のアクセス端末に割り当てに関する情報を提供することができる。従来、アクセス端末は、その特定のアクセス端末を対象としたＬＡＢのサブセットを識別するために、基地局からダウンリンクによって通信された各ＬＡＢを復号する。しかしながら、多数の復号されたＬＡＢが異なるアクセス端末に宛てられていることがあり、従って、基地局から転送されたＬＡＢの全て又は大部分を復号する一般的な技術を用いる場合に、相当な資源消費(例えば、時間、プロセッササイクル、・・・）がアクセス端末によって費やされることがある。これらの資源消費は、例えば特定のアクセス端末に本当に宛てられているデータの復号に関連して利用されるデータレートを下げることによって、アクセス端末の性能に影響を及ぼすことがある。
【発明の概要】
【０００７】
１つ以上の実施形態の基本的な理解を提供するために、このような実施形態の簡素化された概要を以下に提示する。この概要は全ての熟考された実施形態の広範な概略ではなく、全ての実施形態の重要又は重大な要素を特定することも、任意又は全ての実施形態の範囲を定めることも意図していない。その唯一の目的は、後述で提示されるより詳細な説明に対する前置きとして、１つ以上の実施形態の幾つかの概念を簡素化された形で提示することである。
【０００８】
１つ以上の実施形態及びその対応する開示によると、様々な態様が、ダウンリンクにより通信されるリンク割り当てブロック(ＬＡＢ)へのインデックスの割り当てを容易にすることに関連して記載されている。第１のサブセットのインデックスは、複数のアクセス端末によって復号される共有ＬＡＢに割り振られる。第２のサブセットのインデックスは、各々が特定の受信者のアクセス端末を対象としている非共有ＬＡＢに割り当てられる。各非共有ＬＡＢのためのインデックスの割り当ては、対象受信者のアクセス端末に対応する識別子のハッシュ及び／又はアクセス端末の能力に基づくことができる。さらに、アクセス端末は、対応するインデックスに基づいてＬＡＢを復号することができる。第１の範囲のインデックスを有するＬＡＢは、共有ＬＡＢとして識別して復号することができる。さらに、アクセス端末は、復号すべき非共有ＬＡＢに対応する第２の範囲のインデックスを決定することができる。第２の範囲のインデックスは、基地局によって送られるフレーム中の非共有ＬＡＢに対応する全てのインデックスよりも少ないインデックスを含む。
【０００９】
関連する態様によると、無線通信環境において制御メッセージを含むフレームを送ることを容易にする方法が、ここに記載されている。方法は、制御メッセージのセットにインデックスを割り当てることを含むことができる。さらに、方法は、インデックスに基づいて、それぞれの対象受信者のアクセス端末に制御メッセージのそれぞれのサブセットの送信を制限することを備えることができる。
【００１０】
別の態様は無線通信装置に関する。無線通信装置は、制御メッセージのセットにインデックスを割り当てて、インデックスに基づいて、それぞれの対象受信者のアクセス端末に制御メッセージのそれぞれのサブセットの送信を制限することに関する命令を保持するメモリを含むことができる。さらに、無線通信装置は、メモリに保持されている命令を実行するように構成された、メモリに接続された、プロセッサを含むことができる。
【００１１】
また別の態様は、無線通信環境においてリンク割り当てブロック(ＬＡＢ)にインデックスを割り当てて、それに基づいてＬＡＢを編成することを可能にする無線通信装置に関する。無線通信装置は、共有ＬＡＢにインデックスを割り振る手段を含むことができる。さらに、無線通信装置は、アクセス端末の能力とそれぞれの対象受信者のアクセス端末の識別子のハッシュとに基づいて、非共有ＬＡＢにインデックスを割り付ける手段を含むことができる。さらに、無線通信装置は、割り当てられたインデックスに基づいて編成された共有ＬＡＢ及び非共有ＬＡＢを送る手段を備えることができる。
【００１２】
さらに別の態様は、制御メッセージのセットにインデックスを割り当てて、インデックスに基づいて、それぞれの対象受信者のアクセス端末に制御メッセージのそれぞれのサブセットの送信を制限する機械実行可能命令を記憶させた機械読み出し可能媒体に関する。
【００１３】
別の態様によると、無線通信システムにおける装置は、制御メッセージのセットにインデックスを割り当てるように構成することができるプロセッサを含むことができる。さらに、プロセッサは、インデックスに基づいて、それぞれの対象受信者のアクセス端末に制御メッセージのそれぞれのサブセットの送信を制限するように構成することができる。
【００１４】
他の態様によると、無線通信環境において制御メッセージのサブセットを復号することを容易にする方法が、ここに記載されている。方法は、インデックスを付けられた制御メッセージのセットを受信することを含むことができる。さらに、方法は、対応するインデックスに基づいて識別されたインデックスを付けられた制御メッセージのサブセットを復号することを含むことができる。
【００１５】
また別の態様は、インデックスを付けられた制御メッセージのセットを取得して、対応するインデックスに基づいて識別されたインデックスを付けられた制御メッセージのサブセットを復号することに関する命令を保持するメモリを含むことができる無線通信装置に関する。さらに、無線通信装置は、メモリに保持されている命令を実行するように構成された、メモリに接続された、プロセッサを備えることができる。
【００１６】
別の態様は、無線通信環境において受信リンク割り当てブロック(ＬＡＢ)のサブセットを復号することを可能にする無線通信装置に関する。無線通信装置は、第１の範囲のインデックスに基づいて認識された共有ＬＡＢを復調する手段を含むことができる。さらに、無線通信装置は、アクセス端末の識別子のハッシュとアクセス端末の能力基準とに基づいて、第２の範囲のインデックスを識別する手段を備えることができる。さらに、無線通信装置は、第２の範囲のインデックスに基づいて認識された非共有ＬＡＢを復調する手段を含むことができる。
【００１７】
さらに別の態様は、インデックスを付けられた制御メッセージのセットを受信して、対応するインデックスに基づいて識別されたインデックスを付けられた制御メッセージのサブセットを復号する機械実行可能命令を記憶させた機械読み出し可能媒体に関する。
【００１８】
別の態様によると、無線通信システムにおける装置は、インデックスを付けられた制御メッセージのセットを取得するように構成することができるプロセッサを含むことができる。さらに、プロセッサは、対応するインデックスに基づいて識別されたインデックスを付けられた制御メッセージのサブセットを復号するように構成することができる。
【００１９】
上述の及び関連する目的を達成するために、１つ以上の実施形態は、請求項でとくに指摘され以下で十分に記載される特徴を備える。以下の記載及び添付の図面は、１つ以上の実施形態のある特定の例示的な態様を詳細に示している。これらの態様は、様々な実施形態の原理を用いることができる様々なやり方のほんの幾つかを示しており、記載されている実施形態は、全てのこのような態様及びそれらに相当するものを含むことを意図している。
【図面の簡単な説明】
【００２０】
【図１】ここに示されている様々な態様に従って無線通信システムを示す図。
【図２】特定のアクセス端末にリンク割り当てブロック(ＬＡＢ)を宛てることを可能にするためにＬＡＢにインデックスを付ける例示的なシステムを示す図。
【図３】無線通信環境において転送するためにリンク割り当てブロック(ＬＡＢ)セグメント内でＬＡＢを編成する例示的なシステムを示す図。
【図４】無線通信環境において制御メッセージを含むフレームを送ることを容易にする例示的な方法を示す図。
【図５】無線通信環境において共有及び非共有リンク割り当てブロック(ＬＡＢ)を含むフレームを送ることを容易にする例示的な方法を示す図。
【図６】無線通信環境において制御メッセージのサブセットを復号することを容易にする例示的な方法を示す図。
【図７】無線通信環境においてリンク割り当てブロック(ＬＡＢ)のサブセットを復号することを容易にする例示的な方法を示す図。
【図８】無線通信システムにおいてインデックスを付けられたリンク割り当てブロック(ＬＡＢ)を利用することを容易にする例示的なアクセス端末を示す図。
【図９】無線通信環境においてリンク割り当てブロック(ＬＡＢ)にインデックスを付けることを容易にする例示的なシステムを示す図。
【図１０】ここに記載されている様々なシステム及び方法に関連して用いることができる例示的な無線ネットワーク環境を示す図。
【図１１】無線通信環境においてリンク割り当てブロック(ＬＡＢ)にインデックスを割り当てて、それに基づいてＬＡＢを編成することを可能にする例示的なシステムを示す図。
【図１２】無線通信環境において受信リンク割り当てブロック(ＬＡＢ)のサブセットを復号することを可能にする例示的なシステムを示す図。
【発明を実施するための形態】
【００２１】
様々な実施形態が図面を参照してここで記載される。なお、全体を通して同じ要素を指すために同じ参照番号が使用されている。以下の記載では、説明の目的で、１つ以上の実施形態の完全な理解を提供するために、非常に多くの具体的な詳細が示されている。しかしながら、このような実施形態がこれらの具体的な詳細なしに実行され得ることは明らかであり得る。他の例において、周知の構造及びデバイスは、１つ以上の実施形態の説明を容易にするためにブロック図の形で示されている。
【００２２】
本願で使用されているように、「コンポーネント」、「モジュール」、「システム」などの用語は、コンピュータに関連するエンティティ、すなわちハードウェア、ファームウェア、ハードウェアとソフトウェアとの組合せ、ソフトウェア又は実行中のソフトウェアの何れかを指すことを意図している。例えば、コンポーネントは、プロセッサ上で実行されるプロセス、プロセッサ、オブジェクト、エグゼキュータブル、実行スレッド、プログラム及び／又はコンピュータであってもよいが、これらに制限されない。例として、コンピューティングデバイスで実行されるアプリケーションとコンピューティングデバイスとの両者がコンポーネントであってもよい。１つ以上のコンポーネントが１つのプロセス及び／又は実行スレッド内にあっても、１つのコンポーネントが１つのコンピュータに配置されていても及び／又は２つ以上のコンピュータに分散されていてもよい。さらに、これらのコンポーネントは、様々なデータ構造を記憶させた様々なコンピュータ読出し可能媒体から実行することができる。コンポーネントは、例えば１つ以上のデータパケットを有する信号に従ってローカル及び／又はリモートプロセスによって通信することができる(例えば、１つのコンポーネントからのデータはローカルシステム、分散システムにおいて別のコンポーネントと、及び／又はインターネットのようにネットワークを渡って他のシステムと信号によって対話する）。
【００２３】
さらに、様々な実施形態がアクセス端末に関連してここに記載されている。アクセス端末はシステム、加入者ユニット、加入者局、移動局、移動体、遠隔局、遠隔端末、移動デバイス、ユーザ端末、端末、無線通信デバイス、ユーザエージェント、ユーザデバイス又はユーザ機器（user equipment, UE)とも呼ぶことができる。アクセス端末は携帯電話、コードレス電話、セッション開始プロトコル(Session Initiation Protocol, SIP)電話、無線ローカルループ(wireless local loop, WLL)ステーション、パーソナルディジタルアシスタント(personal digital assistant, PDA)、無線接続能力を有するハンドヘルドデバイス、コンピューティングデバイス、又は無線モデムに接続された他の処理デバイスであってもよい。さらに、様々な実施形態が基地局に関連してここに記載されている。基地局はアクセス端末と通信するために利用することができ、さらにアクセスポイント、ノードＢ又は幾つかの他の用語として称することもできる。
【００２４】
さらに、ここに記載されている様々な態様又は特徴は方法、装置、又は標準のプログラミング及び／又はエンジニアリング技術を使用した製造品として実施することができる。ここで使用されている「製造品」との用語は、任意のコンピュータ読出し可能デバイス、キャリア又は媒体からアクセス可能なコンピュータプログラムを包含することを意図している。例えば、コンピュータ読出し可能媒体は磁気記憶デバイス(例えば、ハードディスク、フロッピー（登録商標）ディスク、磁気ストリップなど)、光ディスク(例えば、コンパクトディスク(compact disk, CD)）、ディジタルバーサタイルディスク(digital versatile disk, DVD）など)、スマートカード、及びフラッシュメモリデバイス(例えば、ＥＰＲＯＭ、カード、スティック、キードライブなど)を含むことができるが、これらに制限されない。さらに、ここに記載されている様々な記憶媒体は、情報を記憶する１つ以上のデバイス及び／又は他の機械読出し可能媒体を表わすことができる。「機械読出し可能媒体」との用語は、命令及び／又はデータを記憶、収容及び／又は搬送することができる無線チャネル及び様々な他の媒体を含むことができるが、これらに制限されない。
【００２５】
ここで図１を参照すると、ここに提示されている様々な実施形態に従って無線通信システム100が示されている。システム100は、複数のアンテナグループを含むことができる基地局102を備えている。例えば、１つのアンテナグループはアンテナ104及び106を含むことができ、別のグループはアンテナ108及び110を備えることができ、さらなるグループはアンテナ112及び114を含むことができる。アンテナグループごとに２つのアンテナが示されているが、グループごとにより多くの又はより少ないアンテナを利用することができる。基地局102は送信機チェーン及び受信機チェーンをさらに含むことができ、また当業者には分かるように、その各々は信号の送信及び受信に関連した複数のコンポーネント(例えば、プロセッサ、変調器、マルチプレクサ、復調器、デマルチプレクサ、アンテナなど)を備えることができる。
【００２６】
基地局102は、アクセス端末116及びアクセス端末122のような１つ以上のアクセス端末と通信することができるが、基地局102は、アクセス端末116及び122と同様の実質的に幾つのアクセス端末とも通信することができると理解すべきである。アクセス端末116及び122は、例えば、携帯電話、スマートフォン、ラップトップ、ハンドヘルド型通信デバイス、ハンドヘルド型コンピューティングデバイス、衛星ラジオ、全地球測位システム、ＰＤＡ、及び／又は他の無線通信システム100により通信する任意の他の適切なデバイスであってもよい。図示されているように、アクセス端末116はアンテナ112及び114と通信し、アンテナ112及び114は順方向リンク118によりアクセス端末116に情報を送信し、逆方向リンク120によりアクセス端末116から情報を受信する。さらに、アクセス端末122はアンテナ104及び106と通信し、アンテナ104及び106は順方向リンク124によりアクセス端末122に情報を送信し、逆方向リンク126によりアクセス端末122から情報を受信する。例えば、周波数分割デュプレックス(frequency division duplex, FDD)システムでは、順方向リンク118は、逆方向リンク120によって使用されている周波数帯と異なる周波数帯を利用することができ、順方向リンク124は、逆方向リンク126によって用いられている周波数帯と異なる周波数帯を用いることができる。さらに、時分割デュプレックス(time division duplex, TDD)システムでは、順方向リンク118及び逆方向リンク120は共通の周波数帯を利用することができ、順方向リンク124及び逆方向リンク126は共通の周波数帯を利用することができる。
【００２７】
アンテナの各グループ及び／又はそれらが通信するように指定されたエリアは、基地局102のセクタと称することができる。例えば、アンテナグループは、基地局102によってカバーされているエリアのセクタ内のアクセス端末に通信するように設計することができる。順方向リンク118及び124による通信において、基地局102の送信アンテナは、アクセス端末116及び122への順方向リンク118及び124の信号対雑音比を改善するためにビームフォーミングを利用することができる。さらに、基地局102が、関連する受信可能範囲全体にランダムに散在したアクセス端末116及び122に送信するためにビームフォーミングを利用する一方で、近隣のセルのアクセス端末は、その全てのアクセス端末に単一のアンテナにより送信する基地局と比較して、より少ない干渉を受けることができる。
【００２８】
基地局102は、順方向リンクにより複数のリンク割り当てブロック(ＬＡＢ)(例えば、リンク割り当てメッセージ(link assignment message, LAM)、・・・)を送信することができる。ＬＡＢのサブセットは、基地局102によってカバーされている地理的エリア内の各アクセス端末116、122が復号及び／又は復調するメッセージである共有ＬＡＢであり、ＬＡＢの残りは、各々がアクセス端末116、122のそれぞれを対象としている個別ＬＡＢ(例えば、非共有ＬＡＢ)であり得る。従って、基地局102によってカバーされている地理的エリア内の各アクセス端末116、122は、基地局102によって送られたＬＡＢのサブセットの対象受信者であり得る。
【００２９】
特定のアクセス端末116、122は、ＬＡＢを復号することによって、ＬＡＢがその特定のアクセス端末116、122を対象としているかどうかを見分けることができる。例えば、特定のアクセス端末116、122はＬＡＢを復号して、それに関連する識別子を決定することができる(例えば、ＬＡＢは、そのＬＡＢの対象とされたアクセス端末116、122の識別子でスクランブルすることができ、それはＬＡＢを復号する特定のアクセス端末116、122である場合もあり、そうでない場合もある)。ＬＡＢに関連付けられた識別子が、ＬＡＢを復号する特定のアクセス端末116、122の識別子と一致する場合に、特定のアクセス端末116、122はＬＡＢの内容を使用することもできる(例えば、ＬＡＢに含まれている割り当て情報を実施し、割り当て情報に従って送信及び／又は受信する、・・・)。特定のアクセス端末116、122は、基地局102によって送られたセット(例えば、物理(physical, PHY)フレームで送信されたＬＡＢのセット)の中のＬＡＢの全て又は大部分を復号するのではなく、ＬＡＢのサブセットが特定のアクセス端末116、122によって復号されることがあり、同様に、他のアクセス端末116、122も、基地局102から転送されたＬＡＢのそれぞれのサブセットを復号することができる。従って、基地局102は、ＬＡＢのどのサブセットが各アクセス端末116、122によって復号されるかを決定することができる。さらに、基地局102は、(例えば、インデックス割り当ての関数として)特定のアクセス端末116、122に対応する識別されたサブセット内でＬＡＢを転送することによって、特定のアクセス端末116、122にＬＡＢを宛てることができる。
【００３０】
基地局102によって送信されるＬＡＢは、順方向リンク割り当てブロック及び／又は逆方向リンク割り当てブロックであり得る。順方向リンク割り当てブロックは、順方向リンクにおける通信に使用される資源の変更に関してアクセス端末116、122に通知するメッセージである。さらに、逆方向リンク割り当てブロックは、逆方向リンクにおける通信に使用される資源の変更に関してアクセス端末116、122に通知するメッセージである。例えば、ＬＡＢは、順方向リンク又は逆方向リンクによる通信に指定帯域幅を用いることを特定のアクセス端末116、122に通知することができる。さらに、ＬＡＢは、指定帯域幅によるこのような通信に用いられるパケットフォーマットを示すことができる。さらに、各ＬＡＢは、特定のアクセス端末116、122に一意に対応する識別子を含むことができる(例えば、識別子はＬＡＢ内で符号化されてもよい)。一例によると、識別子は、特定のアクセス端末116、122の媒体アクセス制御識別子(Media Access Control Identifier, MACID)であってもよい。別の例に従って、識別子はブロードキャストＭＡＣＩＤであってもよく、この場合に、ブロードキャストＭＡＣＩＤを含んでいるＬＡＢは、セクタ内の全てのアクセス端末116、122によって復調することができる。
【００３１】
ここで図２を参照すると、特定のアクセス端末にリンク割り当てブロック(ＬＡＢ)を宛てることを可能にするためにＬＡＢにインデックスを付けるシステム200が示されている。システム200は、１つ以上のアクセス端末(例えば、アクセス端末１ 204、・・・、アクセス端末Ｎ 206、なおＮは任意の整数であり得る)と通信することができる基地局202を含んでいる。基地局202は、共有ＬＡＢ及び／又は非共有ＬＡＢを順方向リンクによりアクセス端末204−206に送信することができる。一例によると、基地局202は共有制御チャネル(Shared Control Channel, SCCH)によりＬＡＢのセットを送ることができる。さらに、ＬＡＢの内容(例えば、割り当てに関する情報)に基づいて、順方向リンク及び／又は逆方向リンク通信を、ＬＡＢが宛てられたアクセス端末204−206と基地局202との間で実行することができる。
【００３２】
基地局202は、共有ＬＡＢインデクサ208、非共有ＬＡＢインデクサ210及びＬＡＢ送信機212をさらに含むことができる。フレームごとにＬＡＢ送信機212によって送信されるＬＡＢは、共有ＬＡＢインデクサ208及び／又は非共有ＬＡＢインデクサ210によってインデックスを付けることができる。共有ＬＡＢインデクサ208は各共有ＬＡＢにインデックスを付けることができ、非共有ＬＡＢインデクサ210は各非共有ＬＡＢにインデックスを付けることができる。例として、インデックスは、フレームに含まれている一連のＬＡＢ(例えば、共有ＬＡＢ及び非共有ＬＡＢ)を順序付けるために利用することができる。さらに、別々の共有ＬＡＢインデクサ208及び非共有ＬＡＢインデクサ210の代わりに、共通のＬＡＢインデクサ(示されていない)を利用することができると考えられる。共通のＬＡＢインデクサは、共有ＬＡＢ及び非共有ＬＡＢの両者にインデックスを付けることができる。インデックスを付けた後で、ＬＡＢはＬＡＢ送信機212によって基地局202からアクセス端末204−206に送ることができる。
【００３３】
ＬＡＢ送信機212によってフレームごとに転送されるＬＡＢは、共有ＬＡＢインデクサ208及び非共有ＬＡＢインデクサ210によって実施される様々なルールに従ってインデックスを付けることができる。ＬＡＢ送信機212によって１つの物理(ＰＨＹ)フレームで送信することができるＬＡＢの総数は、ＭａｘＮｕｍＬＡＢｓ(例えば、ＭａｘＮｕｍＱＰＳＫＬＡＢｓ、…)と称することができる。さらに、各ＰＨＹフレーム中の各ＬＡＢは、共有ＬＡＢインデクサ208及び／又は非共有ＬＡＢインデクサ210によってインデックスを割り当てることができる。フレームに含まれているＬＡＢの総数のサブセットは、復号のために基地局202の受信可能エリア内の全てのアクセス端末204-206に宛てられている共有ＬＡＢであってもよい。従って、各アクセス端末204−206は共有ＬＡＢを復号することができる。共有ＬＡＢの数はＭａｘＮｕｍＳｈａｒｅｄＬＡＢｓと称することができる。
【００３４】
一例に従って、共有ＬＡＢインデクサ208及び非共有ＬＡＢインデクサ210は、セットｆ中のＬＡＢにインデックスを付けることができる。なお、ｆ＝０、・・・、ＭａｘＮｕｍＬＡＢｓ−１である。セットｆは２つのサブセット、すなわち共有ＬＡＢのための第１のサブセットと、個別ＬＡＢ(例えば、非共有ＬＡＢ)のための第２のサブセットとを含むことができる。共有ＬＡＢインデクサ208は、第１のサブセットの共有ＬＡＢのインデックスを割り振ることができ、共有ＬＡＢのインデックスはｆ＝０、・・・、ＭａｘＮｕｍＳｈａｒｅｄＬＡＢｓ−１であってもよい。第２のサブセットは、非共有ＬＡＢインデクサ210によって割り付けられたインデックスを有することができ、第２のサブセットのためのインデックスはｆ＝ＭａｘＮｕｍＳｈａｒｅｄＬＡＢｓ、・・・、ＭａｘＮｕｍＬＡＢｓであってもよい。さらに、非共有ＬＡＢインデクサ210は、アクセス端末204−206の能力に基づいて、第２のサブセットのインデックスを分割することができる。アクセスの端末の能力(例えば、アクセス端末の能力基準（capability measure）、・・・)は、特定のアクセス端末によって復号されるＬＡＢの数を示すことができる(例えば、全てのアクセス端末204−206が同様の数のＬＡＢを復号することができる、全てのアクセス端末204−206が異なる数のＬＡＢを復号することができる、少なくとも２つのアクセス端末204−206は同様の数のＬＡＢを復号することができるが、少なくとも１つの他のアクセス端末204−206は異なる数のＬＡＢを復号する、・・・)。例えば、アクセス端末の能力は、(例えば、メモリに保持されている、・・・)能力プロトコルに従って定義することができる。別の例として、アクセス端末204−206の能力は、(例えば、アクセス端末204−206、異なる基地局、ネットワーク、・・・から)非共有ＬＡＢインデクサ210に通信することができる。
【００３５】
１つのアクセス端末(例えば、アクセス端末１ 204、・・・、アクセス端末Ｎ 206）が復号することができる個別ＬＡＢの最大数は、ＭａｘＮｕｍＩｎｄｉｖＬＡＢＤｅｃと称することができる。さらに、各アクセス端末204−206は対応するＭＡＣＩＤに関連付けられ、基地局202がアクセス端末204−206にＭＡＣＩＤを割り振ることができる(例えば、ＭＡＣＩＤは、アクセス端末204−206に送られるアクセス許可メッセージの一部として、基地局202によって割り付けることができる)。ＭＡＣＩＤは、例えば、セクタ別のアクセス端末識別子であってもよい。非共有ＬＡＢインデクサ210は、特定のアクセス端末204−206のＭＡＣＩＤの関数として、特定のアクセス端末204−206を対象としたＬＡＢにインデックスを割り当てることができる。従って、ＭＡＣＩＤ ｍを有する特定のアクセス端末(例えば、アクセス端末１ 204、・・・)を対象としている個別ＬＡＢは、次のようなＭＡＣＩＤのハッシュに基づいて、インデックスを割り付けることができる。ＭａｘＮｕｍＳｈａｒｅｄＬＡＢｓ＋ｆＨＡＳＨ(ＭＡＣＩＤ)、・・・、ＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)。一例によると、特定のＬＡＢ(例えば、非共有ＬＡＢ)は、ＭＡＣＩＤ ０が割り当てられた特定のアクセス端末(例えば、アクセス端末１ 204)に宛てることができる。しかしながら、請求項に係る内容は、アクセス端末１ 204に非共有ＬＡＢを送ること、又はそのアクセス端末1 204にＭＡＣＩＤ ０を割り当てることに制限されないと理解すべきである。さらに、ＭＡＣＩＤ ０のハッシュは０であってもよい。従って、アクセス端末１ 204は、ＭａｘＮｕｍＳｈａｒｅｄＬＡＢｓから、その能力(例えば、ＭａｘＮｕｍＩｎｄｉｖＬＡＢＤｅｃ)とＭａｘＮｕｍＳｈａｒｅｄＬＡＢｓとの和までのインデックスを有するＬＡＢを復号することができる。なお、能力とは、アクセス端末１ 204が復号することができるＬＡＢの数である。従って、アクセス端末１ 204に特定のＬＡＢを宛てるときに、非共有ＬＡＢインデクサ210は、そのような範囲(例えば、ＭａｘＮｕｍＳｈａｒｅｄＬＡＢｓ、・・・、ＭａｘＮｕｍＩｎｄｉｖＬＡＢＤｅｃ＋ＭａｘＮｕｍＳｈａｒｅｄＬＡＢｓ)内で特定のＬＡＢにインデックスを割り付けることができる。さらに、ＬＡＢ送信機212は、順方向リンクにより、対応するインデックスを有する特定のＬＡＢ(及び／又は任意の他のＬＡＢ)を送ることができる。
【００３６】
各アクセス端末204−206は、共有ＬＡＢ復号器(例えば、アクセス端末１ 204は共有ＬＡＢ復号器１ 214を含むことができ、・・・、アクセス端末Ｎは共有ＬＡＢ復号器Ｎ 216を含むことができる)と、非共有ＬＡＢサブセット復号器(例えば、アクセス端末１ 204は非共有ＬＡＢサブセット復号器１ 218を含むことができ、・・・アクセス端末Ｎ 206は非共有ＬＡＢサブセット復号器Ｎ 220を含むことができる）とをさらに含むことができる。共有ＬＡＢ復号器214−216は、基地局202から取得した共有ＬＡＢを復号することができる。より具体的には、共有ＬＡＢ復号器214−216は、共有ＬＡＢとして０からＭａｘＮｕｍＳｈａｒｅｄＬＡＢｓ−１までのインデックスを有するＬＡＢを識別することができる。さらに、共有ＬＡＢ復号器214−216は、関連するインデックスの評価に基づいて共有ＬＡＢであると識別されたＬＡＢを復号することができる。従って、基地局202によってカバーされている地理的エリア内の全てのアクセス端末204−206は、幾つか(例えば、ＭａｘＮｕｍＳｈａｒｅｄＬＡＢｓ)の共有ＬＡＢを復号することができる。
【００３７】
非共有ＬＡＢサブセット復号器218−220は、非共有ＬＡＢのそれぞれのサブセットを復号することができる。一例によると、非共有ＬＡＢサブセット復号器１ 218は、アクセス端末１ 204の能力(例えば、ＭａｘＮｕｍＩｎｄｉｖＬＡＢＤｅｃと称することができるアクセス端末１ 204によって復号される非共有ＬＡＢの数)と、アクセス端末１ 204に対応するＭＡＣＩＤのハッシュ関数とに基づいて、アクセス端末１ 204にとって復号すべき非共有ＬＡＢのサブセットを識別することができる。例えば、非共有ＬＡＢサブセット復号器１ 218は、ＭＡＣＩＤのハッシュ及び能力の関数として、ＬＡＢインデックスの範囲を決定することができる。範囲は、アクセス端末１ 204によって復号することができる非共有ＬＡＢの最大数に及ぶことができる。さらに、非共有ＬＡＢサブセット復号器１ 218は、決定された範囲内に入るインデックスを有するＬＡＢを復号することができる。さらに、復号のときに、非共有ＬＡＢサブセット復号器１ 214(及び／又は全体としてアクセス端末１ 204)は、復号されるＬＡＢがアクセス端末１ 204のＭＡＣＩＤを含んでいる(例えば、アクセス端末１ 204のＭＡＣＩＤがこのＬＡＢ内で符号化されている)かどうかを評価することができる。そのＭＡＣＩＤがＬＡＢに含まれている場合には、アクセス端末１ 204はＬＡＢの内容を利用することができる。そうではなく、ＬＡＢがアクセス端末１ 204のＭＡＣＩＤを含んでいない場合には、ＬＡＢは用いることなく廃棄することができる。従来の技術でよく行われるように全て又は大部分の非共有ＬＡＢではなく、非共有ＬＡＢのサブセットを復号することによって、アクセス端末１ 204は、アクセス端末１ 204を対象としていない多くのＬＡＢを復号するのではなく、それに宛てられたデータを復号するために資源を節約することができる。上述は非共有ＬＡＢサブセット復号器１ 218及びアクセス端末１ 204を記載しているが、任意の他の非共有ＬＡＢサブセット復号器(例えば、非共有ＬＡＢサブセット復号器Ｎ 220、・・・)及び／又はアクセス端末(例えば、アクセス端末Ｍ 206）は実質的に同様であってもよいと理解すべきである。
【００３８】
図３に移ると、無線通信環境において転送するためにリンク割り当てブロック(ＬＡＢ)セグメント内でＬＡＢを編成するシステム300が示されている。システム300は、上述のような共有ＬＡＢインデクサ208、非共有ＬＡＢインデクサ210及びＬＡＢ送信機212を備えることができる基地局202を含んでいる。さらに、システム300はアクセス端末302(例えば、図２のアクセス端末１ 204、図２のアクセス端末Ｎ 206、・・・)を含んでいる。１つのアクセス端末302が示されているが、システム300は、アクセス端末302と同様の任意の数のアクセス端末を含むことができると考えられる。アクセス端末302はさらに、共有ＬＡＢ復号器304(例えば、図２の共有ＬＡＢ復号器１ 214、図２の共有ＬＡＢ復号器Ｎ 216、・・・)、及び非共有ＬＡＢサブセット復号器306(例えば、図２の非共有ＬＡＢサブセット復号器１ 218、図２の非共有ＬＡＢサブセット復号器Ｎ 220、・・・)を含むことができる。
【００３９】
基地局202は、各ＬＡＢを対応するＬＡＢセグメントに割り振るＬＡＢセグメント割り当て器308をさらに含むことができる。一例によると、ＬＡＢセグメント割り当て器308は非共有ＬＡＢインデクサ210と共に動作して、ＬＡＢセグメント内でこのような非共有ＬＡＢを編成することを可能にするために非共有ＬＡＢに割り振るインデックスを決定することができる。ＬＡＢセグメントは、１つ以上のＬＡＢを通信するＯＦＤＭ資源(例えば、時間／周波数資源)である。ＬＡＢセグメント割り当て器308は、共通の受信者(例えば、アクセス端末302、・・・）を対象としているＬＡＢを共通ＬＡＢセグメントにグループ化する。例えば、アクセス端末302に宛てられた非共有ＬＡＢは、ＬＡＢセグメント割り当て器308によって一緒に集めて１つのＬＡＢセグメント(又は２つ以上のＬＡＢセグメント)に割り当てることができる。従って、アクセス端末302は、このＬＡＢセグメントにおいてアクセス端末302に宛てられた非共有ＬＡＢを全て取得することができる。ＬＡＢセグメント割り当て器308は、アクセス端末302に非共有ＬＡＢを送るために利用されるＬＡＢセグメントの数を最小化することができる。従って、ＬＡＢを復号する一方でアクセス端末302によって行なわれるＬＡＢセグメントに関連するチャネル推定の数を低減することができる。
【００４０】
アクセス端末302はハッシュ評価器310をさらに含むことができる。ハッシュ評価器310は、アクセス端末302のＭＡＣＩＤに基づいてハッシュ関数を分析する一方で、基地局202から送信されたＬＡＢを受信するために利用されるＬＡＢセグメントの数を最小化する。例えば、ハッシュ評価器310は、最少数のＬＡＢセグメントにおいて非共有ＬＡＢのインデックスを整列させるためにハッシュ関数の出力を調整する。さらに、ハッシュ評価器310は、ＬＡＢセグメント割り当て器308がＬＡＢセグメントに非共有ＬＡＢをどのように割り付けたかを事前に知ることができる。
【００４１】
ＬＡＢセグメントにＬＡＢを割り振るためにＬＡＢセグメント割り当て器308によって実施することができる例示的な技術を以下で提供する。ＬＡＢセグメント割り当て器308は、アクセス端末302及び／又は任意の数の異なるアクセス端末(示されていない)のためのＬＡＢセグメントにＬＡＢを割り当てることができる。さらに、ハッシュ評価器310は、基地局202から取得したどのＬＡＢを復号すべきかを見分けるためにこの技術を用いることができる。例えば、アクセス端末302のＭＡＣＩＤが、２つのＬＡＢセグメントにわたって分散したある範囲のインデックスにハッシュする場合に、全てのＬＡＢが１つのＬＡＢセグメントに入ることができるように、ハッシュ関数を変更することができる。
【００４２】
この例によると、アクセス端末302は、０、・・・、ｍｉｎ（ＭａｘＮｕｍＳｈａｒｅｄＬＡＢｓ、ＭａｘＳＣＣＨＤｅｃｏｄｅｄＢｌｏｃｋｓ)−１の範囲においてｉの値を有する順方向リンク共有制御チャネル(forward link Shared Control Channel, F-SCCH)のブロック(ｉ，ｊ)を復号することができる。ｊのインデックスは、１つの大きなＬＡＢの場合に０、２つのＬＡＢが１つのＬＡＢスロットで送られるときなどより小さな複数のＬＡＢの場合に０又は１であってもよい。さらに、ＭａｘＳＣＣＨＤｅｃｏｄｅｄＢｌｏｃｋｓ＞ＭａｘＮｕｍＳｈａｒｅｄＬＡＢｓ及びＭａｘＮｕｍＱＰＳＫＬＡＢｓ＞ＭａｘＮｕｍＳｈａｒｅｄＬＡＢｓである場合、以下に従ってＳ（ＭＡＣＩＤ）を定義することができる。共有されないＬＡＢの総数はＭａｘＮｕｍＵｎｓｈａｒｅｄＬＡＢｓと称することができ、これはＬＡＢの最大数(例えば、ＭａｘＮｕｍＱＰＳＫＬＡＢｓ)から共有ＬＡＢの最大数(例えば、ＭａｘＮｕｍＳｈａｒｅｄＬＡＢｓ)を引いたものに等しくなる。さらに、ｂ＝ｆＰＨＹ−ＨＡＳＨ(ＭＡＣＩＤ) ｍｏｄ ＭａｘＮｕｍＵｎｓｈａｒｅｄＬＡＢｓである。さらに、ｘ＝ｍｉｎ（ＭａｘＳＣＣＨＤｅｃｏｄｅｄＢｌｏｃｋｓ−ＭａｘＮｕｍＳｈａｒｅｄＬＡＢｓ、ＭａｘＮｕｍＵｎｓｈａｒｅｄＬＡＢｓ)である。ＬＫは、ｋ以下のインデックスを有するＬＡＢセグメントに含まれている共有ＬＡＢを除いたＬＡＢの総数であると定義することができる。例えば、共通セグメントはインデックス０を有することができ、第１のＬＡＢセグメントはインデックス１を有することができるが、請求項に係る内容はそのように制限されない。物理層プロトコルは、各セグメント中のＬＡＢの数とＬＡＢセグメント及び共通セグメントの概念とを指定することができる。さらに、ｓは、Ｌｓ−１＜ｂを満たす最大の整数であってもよい。
【００４３】
ｂ＋ｘ−１＜Ｌｓである場合に、Ｓ（ＭＡＣＩＤ）は｛ｂ，・・・，ｂ＋ｘ−１｝に等しいと定義することができる。ｘ≦Ｌｓ−Ｌｓ−１及びｂ＋ｘ−１≧Ｌｓである場合に、Ｓ（ＭＡＣＩＤ）は以下のように定義することができる。すなわち、ＭＡＣＩＤの奇数値に対してＳ（ＭＡＣＩＤ）＝{Ｌｓ，・・・，Ｌｓ−１＋ｘ−１}、さもなければＳ（ＭＡＣＩＤ）＝{Ｌｓ−ｘ，・・・，Ｌｓ−１}である。ｘ＞Ｌｓ−Ｌｓ−１及びｂ＋ｘ−１＜ＭａｘＮｕｍＵｎｓｈａｒｅｄＬＡＢｓである場合に、Ｓ（ＭＡＣＩＤ）は｛ｂ，・・・，ｂ＋ｘ−１｝に等しいと定義することができる。ｘ＞Ｌｓ−Ｌｓ−１及びｂ＋ｘ−１≧ＭａｘＮｕｍＵｎｓｈａｒｅｄＬＡＢｓである場合に、Ｓ（ＭＡＣＩＤ）＝｛ｂ，・・・，ＭａｘＮｕｍＵｎｓｈａｒｅｄＬＡＢｓ−1}∪{０，１，・・・，ｘ−１−(ＭａｘＮｕｍＵｎｓｈａｒｅｄＬＡＢｓ−ｂ)}である。従って、アクセス端末302(例えば、ハッシュ評価器310によって与えられた評価に基づく共有ＬＡＢ復号器304及び／又は非共有ＬＡＢサブセット復号器306）は、上述で示したようにＳ（ＭＡＣＩＤ）に属するｉの値を有するＦ−ＳＣＣＨブロック(ＭａｘＮｕｍＳｈａｒｅｄＬＡＢｓ＋ｉ，ｊ)を復号することができる。
【００４４】
図４−７を参照すると、無線通信環境において資源の利用を最適化するためにＬＡＢのインデックスを利用することに関する方法が示されている。説明を簡潔にする目的で、方法は一連の動作として示され記載されているが、幾つかの動作は、１つ以上の実施形態に従って、ここに示され記載されている順序と異なる順序で及び／又は他の動作と同時に行うことができるので、方法は動作の順序によって制限されないと理解及び認識されるべきである。例えば、当業者は、代りに状態図のように一連の相互に関連する状態又はイベントとして方法を表すことができると理解及び認識するであろう。さらに、１つ以上の実施形態に従って方法を実施するために、例示された動作の全てが必要とされるわけではない。
【００４５】
図４に移ると、無線通信環境において制御メッセージを含むフレームを送ることを容易にする方法が示されている。402において、制御メッセージのセットにインデックスを割り当てることができる。例えば、制御メッセージはリンク割り当てブロック(ＬＡＢ)であってもよい。さらに、制御メッセージのセットは共有ＬＡＢ及び非共有ＬＡＢを含むことができる。404において、制御メッセージのそれぞれのサブセットの送信は、インデックスに基づいて、それぞれの対象受信者のアクセス端末に制限することができる。一例によると、割り当てられたインデックスは、特定の対象受信者のアクセス端末に制御メッセージの特定のサブセットを宛てるために利用することができる。さらに、制御メッセージの各サブセットは、制御セグメントのセットに割り振られた時間−周波数資源グループのサブセット(例えば、タイル)に制限することができる。
【００４６】
図５を参照すると、無線通信環境において共有及び非共有リンク割り当てブロック(ＬＡＢ)を含むフレームを送ることを容易にする方法500が示されている。502において、フレーム中の共有ＬＡＢにインデックスを割り当てることができる。共有ＬＡＢは、セクタ中のアクセス端末によって復号することが意図されている。例えば、共有ＬＡＢは、０からＭａｘＮｕｍＳｈａｒｅｄＬＡＢｓ−１までのインデックスを割り付けることができる。504において、それぞれの対象受信者のアクセス端末に対応する識別子のハッシュの関数として、フレーム中の非共有ＬＡＢにインデックスを割り当てることができる。非共有ＬＡＢ(例えば、個別ＬＡＢ、・・・)は、(対象受信者のアクセス端末のグループではなく)特定の受信者のアクセス端末に宛てられたＬＡＢである。一例によると、識別子はＭＡＣＩＤであってもよい。さらに、インデックスは、アクセス端末の能力(例えば、所与のフレーム中の各アクセス端末によって復号することができる非共有ＬＡＢの数、ＭａｘＮｕｍＩｎｄｉｖＬＡＢＤｅｃ、・・・)に基づいて、非共有ＬＡＢに割り当てることができる。別の例として、識別子のハッシュは、非共有ＬＡＢに対するインデックスの割り当てを最適化するために調整することができる。すなわち、インデックスの割り当ては、共通のアクセス端末に宛てられた非共有ＬＡＢが通信されるＬＡＢセグメントの数を最小化するために、調整されたハッシュに基づいて変更することができる。506において、割り当てられたインデックスに従って順序付けられた共有ＬＡＢ及び非共有ＬＡＢを含むフレームを送信することができる。例えば、フレームは順方向リンク共有制御チャネル(Ｆ−ＳＣＣＨ)により通信することができるが、請求項に係る内容はそのように制限されない。さらに、共有ＬＡＢ及び／又は非共有ＬＡＢは、(例えば、利用される帯域幅、及びそのような帯域幅で用いるパケットフォーマット、・・・に関する)割り当てに関する情報を受信者のアクセス端末に提供することができる。従って、順方向リンク及び／又は逆方向リンク通信は、送信される共有ＬＡＢ及び非共有ＬＡＢに基づいて実施することができる。
【００４７】
図６を参照すると、無線通信環境において制御メッセージのサブセットを復号することを容易にする方法600が示されている。602において、インデックスを付けられた制御メッセージのセットを受信することができる。制御メッセージは、例えばリンク割り当てブロック(ＬＡＢ)であってもよい。さらに、共有ＬＡＢ及び／又は非共有ＬＡＢを取得することができる。604において、対応するインデックスに基づいて識別されたインデックスを付けられた制御メッセージのサブセットを復号することができる。対応するインデックスは、受信者アクセス端末の識別子のハッシュ及び／又は受信者アクセス端末の能力に基づいて決定することができる。さらに、復号された制御メッセージのサブセットは、インデックスを付けられた制御メッセージのセットに割り振られた時間−周波数資源グループのサブセット(例えば、タイル)に制限することができる。
【００４８】
ここで図７に移ると、無線通信環境においてリンク割り当てブロック(ＬＡＢ)のサブセットを復号することを容易にする方法700が示されている。702において、インデックスを付けられたＬＡＢを含むフレームをアクセス端末において受信することができる。インデックスを付けられたＬＡＢは、共有ＬＡＢ及び非共有ＬＡＢ(例えば、個別ＬＡＢ、・・・)を含むことができる。さらに、フレーム中のＬＡＢの各々に関連付けられたインデックスは見分けることができる(例えば、ＬＡＢはｆ＝０、・・・、ＭａｘＮｕｍＬＡＢｓ−１によってインデックスを付けることができる)。704において、第１の範囲のインデックスに基づいて識別された共有ＬＡＢを復号することができる。共有ＬＡＢは、アクセス端末と共通セクタ中の他のアクセス端末とによって復号することができる。さらに、第１の範囲のインデックスは、０から、共有ＬＡＢの最大数から１を引いたものまで(例えば、０、・・・、ＭａｘＮｕｍＳｈａｒｅｄＬＡＢｓ−１)であってもよい。706において、第２の範囲のインデックスは、アクセス端末に対応する識別子のハッシュに少なくとも部分的に基づいて決定することができる。第２の範囲のインデックスは、フレーム中の非共有ＬＡＢに対応する全てのインデックスよりも少ないインデックスを含むことができる。識別子は、例えばアクセス端末のＭＡＣＩＤであり得る。さらに、第２の範囲のインデックスは、アクセス端末の能力(例えば、所与のフレーム中のアクセス端末によって復号することができる非共有ＬＡＢの数、ＭａｘＮｕｍＩｎｄｉｖＬＡＢＤｅｃ、・・・)に基づいて生成することができる。従って、第２の範囲のインデックスは、ＭａｘＮｕｍＳｈａｒｅｄＬＡＢｓ＋ｆＨＡＳＨ(ＭＡＣＩＤ)、・・・、ＭａｘＮｕｍＳｈａｒｅｄＬＡＢｓ＋(ｆＨＡＳＨ(ＭＡＣＩＤ)＋ＭａｘＮｕｍＩｎｄｉｖｉｄＬＡＢＤｅｃ−１)ｍｏｄ（ＭａｘＮｕｍＬＡＢｓ−ＭａｘＮｕｍＳｈａｒｅｄＬＡＢｓ）であってもよい。別の例として、識別子のハッシュは、第２の範囲のインデックスを操作するために調整することができる。この例に従って、第２の範囲のインデックスの操作により、非共有ＬＡＢを最少数のＬＡＢセグメント(例えば、１つのＬＡＢセグメント、２つのＬＡＢセグメント、・・・)で取得することができる。なお、ＬＡＢセグメントはＯＦＤＭ資源である。708において、第２の範囲のインデックスに基づいて識別された非共有ＬＡＢを復号することができる。例えば、復号するときに、非共有ＬＡＢに組み込まれている識別子(例えば、対象受信者のアクセス端末を示す)を認識して、アクセス端末に対応する識別子と比較することができる。識別子が一致する場合に、アクセス端末はＬＡＢの内容を使用することができ、そうでなければ、アクセス端末はＬＡＢの内容を無視することができる。
【００４９】
ここに記載されている１つ以上の態様に従って、ＬＡＢを通信するためにインデックスを用いることに関して推論(inference)を行うことができることが理解されるであろう。ここで使用されているように、「推論する」又は「推論」との用語は概して、イベント及び／又はデータによってとらえられる１組の観察結果から、システム、環境及び／又はユーザの状態に関して推理又は推論するプロセスを指す。推論は、例えば、特定の状況又は動作を識別するために用いられるか、あるいは状態についての確率分布を生成することができる。推論は見込み（probabilistic）、すなわちデータ及びイベントの検討に基づく、対象とする状態についての確率分布の計算結果であることがある。推論は、１組のイベント及び／又はデータからより高いレベルのイベントを構成するために用いられる技術を指すこともできる。イベントが近い時間で相関していても、並びにイベント及びデータが１つ又は幾つかのイベント及びデータソースから来ていても、このような推論は、１組の観察されたイベント及び／又は記憶されたイベントデータから新たなイベント又は動作の構成をもたらす。
【００５０】
一例によると、上述で提示された１つ以上の方法は、ＬＡＢに割り当てるインデックスの選択に関して推論を行うことを含むことができる。さらなる例として、ＬＡＢセグメント内で特定の受信者を対象としているＬＡＢをどのように最適化するかを決定することに関して推論を行うことができる。上述の例は本質的に例示的であって、ここに記載されている様々な実施形態及び／又は方法に関連して行われる推論のやり方又は行うことができる推論の数を制限することを意図していないと理解されるであろう。
【００５１】
図８は、無線通信システムにおいてインデックスを付けられたリンク割り当てブロック(ＬＡＢ)を利用することを容易にするアクセス端末800の例である。アクセス端末800は、例えば受信アンテナ(示されていない)から信号を受信して、受信信号に通常の操作(例えば、フィルタリング、増幅、ダウンコンバートなど)を行って、調整された信号をディジタル化して、サンプルを取得する受信機802を備える。受信機802は、例えばＭＭＳＥ受信機であってもよく、復調器804を備えることができ、復調器804は受信シンボルを復調して、チャネル推定のためにプロセッサ806にそれらを提供することができる。プロセッサ806は、受信機802によって受信された情報の分析及び／又は送信機816によって送信する情報の生成に専用のプロセッサ、アクセス端末800の１つ以上のコンポーネントを制御するプロセッサ、及び／又は受信機802によって受信された情報を分析し、送信機816によって送信する情報を生成し、アクセス端末800の１つ以上のコンポーネントを制御するプロセッサであってもよい。
【００５２】
アクセス端末800はメモリ808をさらに備えることができ、メモリ808はプロセッサ806に動作上接続され、送信されるデータ、受信されたデータ、アクセス端末800に割り当てられた識別子、取得されたＬＡＢに関する情報、及び取得されたＬＡＢを復号するかどうかを選択するための任意の他の適切な情報を記憶することができる。メモリ808は、ＬＡＢを復号するか、及び／又は復号されたＬＡＢの内容を利用するかどうかを解読することに関連するプロトコル及び／又はアルゴリズムをさらに記憶することができる。
【００５３】
ここに記載されているデータ記憶装置(例えば、メモリ808)は、揮発性メモリ又は不揮発性メモリの何れかであってもよく、あるいは揮発性及び不揮発性メモリの両者を含んでもよいと理解されるであろう。制限ではなく例示として、不揮発性メモリは読み出し専用メモリ(read only memory, ROM)、プログラム可能なＲＯＭ(programmable ROM, PROM)、電気的にプログラム可能なＲＯＭ（electrically programmable ROM, EPROM）、電気的に消去可能なＰＲＯＭ(electrically erasable PROM, EEPROM)又はフラッシュメモリを含むことができる。揮発性メモリはランダムアクセスメモリ(random access memory, RAM)を含むことができ、これは外部キャッシュメモリの役割をする。制限ではなく例示として、ＲＡＭは、同期ＲＡＭ(synchronous RAM, SRAM)、ダイナミックＲＡＭ(dynamic RAM, DRAM)、同期ＤＲＡＭ(synchronous DRAM, SDRAM)、ダブルデータレートＳＤＲＡＭ(double data rate SDRAM, DDR SDRAM)、拡張ＳＤＲＡＭ(enhanced SDRAM, ESDRAM)、シンクリンクＤＲＡＭ(Synchlink DRAM, SLDRAM)及び直接ラムバスＲＡＭ(direct Rambus RAM, DRRAM)のような多くの形式で利用可能である。対象のシステム及び方法のメモリ808は、これら及び任意の他の適切なタイプのメモリを含むことを意図しているが、それらに制限されない。
【００５４】
受信機802はさらに、受信機802によって取得された共有ＬＡＢを復号する共有ＬＡＢ復号器810に動作上接続される。共有ＬＡＢ復号器810は、受信フレームに含まれているＬＡＢが共有ＬＡＢであるかどうかを識別することができる。例えば、共有ＬＡＢ復号器810は、ＬＡＢが共有ＬＡＢであるかどうかを解読するためにＬＡＢに関連付けられたインデックスを分析することができる。さらに、共有ＬＡＢ復号器810は、共有ＬＡＢに含まれている復号されたデータを用いることができる。さらに、受信機802は、受信機802によって取得された非共有ＬＡＢを復号する非共有ＬＡＢサブセット復号器812に動作上接続することができる。非共有ＬＡＢサブセット復号器812は、アクセス端末800に関連する識別子のハッシュ関数及び／又はアクセス端末800の能力に基づいて、アクセス端末800に対応するインデックスのサブセットを決定することができる。さらに、非共有ＬＡＢサブセット復号器812は、インデックスのサブセットに対応するＬＡＢ(例えば、非共有ＬＡＢ、個別ＬＡＢ、・・・)を復号することができる。さらに、非共有ＬＡＢサブセット復号器812は、(例えば、ＬＡＢにおいてスクランブルされている識別子を評価することによって、・・・)アクセス端末800が対象受信者であるかどうかを決定するために、各復号されたＬＡＢの内容を分析することができる。アクセス端末800はさらに、変調器814と、例えば基地局、別のアクセス端末などへ信号を送信する送信機816とを備える。プロセッサ806と別々に示されているが、共有ＬＡＢ復号器810、非共有ＬＡＢサブセット復号器812及び／又は変調器814は、プロセッサ806の一部又は幾つかのプロセッサ(示されていない)であってもよいと理解すべきである。
【００５５】
図９は、無線通信環境においてリンク割り当てブロック(ＬＡＢ)にインデックスを付けることを容易にするシステム900の例である。システム900は、１つ以上のアクセス端末904から複数の受信アンテナ906を通して信号を受信する受信機910と、１つ以上のアクセス端末904に送信アンテナ908を通して送信する送信機922とを有する基地局902(例えば、アクセスポイント、・・・)を備える。受信機910は受信アンテナ906から情報を受信することができ、受信情報を復調する復調器912に動作上関連付けられている。復調されたシンボルはプロセッサ914によって分析され、プロセッサ914は、図８に関連して上述で説明したプロセッサに類似していてもよく、メモリ916に接続され、メモリ916はアクセス端末識別子(例えば、ＭＡＣＩＤ、・・・)に関する情報、アクセス端末904（又は異なる基地局（示されていない））に送信されるか又はそこから受信されたデータ（例えば、ＬＡＢ）、及び／又はここに示されている様々な動作及び機能の実行に関する任意の他の適切な情報を記憶する。プロセッサ914はさらに共有ＬＡＢインデクサ918に接続され、第１のサブセットのＬＡＢが複数のアクセス端末904間で共有されることが意図されている場合に、共有ＬＡＢインデクサ918は、フレームからの第１のサブセットのＬＡＢ(例えば、共有ＬＡＢ)にインデックスを割り当てる。
【００５６】
共有ＬＡＢインデクサ818は非共有ＬＡＢインデクサ920に動作上接続することができ、非共有ＬＡＢインデクサ920は第２のサブセットのＬＡＢ(例えば、非共有ＬＡＢ、個別ＬＡＢ、・・・)にインデックスを割り当てる。さらに、非共有ＬＡＢインデクサ920は、複数のアクセス端末904からの対象受信者のアクセス端末に対応する識別子(例えば、ＭＡＣＩＤ、・・・)のハッシュに基づいて、インデックスの割り当てをすることができる。さらに、非共有ＬＡＢインデクサ920は、インデックスを割り付けるときに対象受信者のアクセス端末の能力を考慮することができる。さらに、非共有ＬＡＢインデクサ920(及び／又は共有ＬＡＢインデクサ818)は、対応するインデックスに従って順序付けたＬＡＢのフレームを変調器922に提供することができる。変調器922は、送信機926によってアンテナ908を通してアクセス端末904に送信するフレームを多重化することができる。プロセッサ914と別々に示されているが、共有ＬＡＢインデクサ918、非共有ＬＡＢインデクサ920及び／又は変調器922は、プロセッサ914の一部又は幾つかのプロセッサ(示されていない)であってもよいと理解すべきである。
【００５７】
図１０は例示的な無線通信システム1000を示している。無線通信システム1000は、簡潔にするために、１つの基地局1010と１つのアクセス端末1050とを示している。しかしながら、システム1000は２つ以上の基地局及び／又は２つ以上のアクセス端末を含むことができると理解すべきであり、追加の基地局及び／又はアクセス端末は、以下に記載する例示的な基地局1010及びアクセス端末1050と実質的に同様であっても又は異なっていてもよい。さらに、基地局1010及び／又はアクセス端末1050は、それらの間の無線通信を容易にするために、ここに記載されているシステム(図１−３、８−９及び１１−１２)及び／又は方法（図４−７）を用いることができると理解すべきである。
【００５８】
基地局1010において、幾つかのデータストリームのトラフィックデータは、データソース1012から送信(transmit, TX)データプロセッサ1014に提供される。一例によると、各データストリームはそれぞれのアンテナにより送信することができる。ＴＸデータプロセッサ1014はトラフィックデータストリームを、そのデータストリームのために選択された特定の符号化方式に基づいてフォーマットし、符号化し、インターリーブして、符号化されたデータを提供する。
【００５９】
各データストリームの符号化されたデータは、直交周波数分割多重化(ＯＦＤＭ)技術を使用してパイロットデータと多重化することができる。さらに又はその代わりに、パイロットシンボルは周波数分割多重化(ＦＤＭ)、時分割多重化(ＴＤＭ)又は符号分割多重化(ＣＤＭ)であってもよい。パイロットデータは一般に、既知のやり方で処理される既知のデータパターンであり、チャネル応答を推定するためにアクセス端末1050において使用することができる。各データストリームの多重化されたパイロット及び符号化されたデータは、そのデータストリームのために選択された特定の変調方式(例えば、二位相偏移変調(binary phase-shift keying, BPSK)、四位相偏移変調(quadrature phase-shift keying, QPSK)、Ｍ位相偏移変調(M-phase-shift keying, M-PSK)、Ｍ直交振幅変調(M-quadrature amplitude modulation, M-QAM)など)に基づいて変調（例えば、シンボルマップ）されて、変調シンボルを提供することができる。各データストリームのデータレート、符号化及び変調は、プロセッサ1030によって行なわれる又は提供される命令によって決定することができる。
【００６０】
データストリームの変調シンボルはＴＸ ＭＩＭＯプロセッサ1020に提供され、ＴＸ ＭＩＭＯプロセッサ1020は(例えば、ＯＦＤＭのために)変調シンボルをさらに処理することができる。ＴＸ ＭＩＭＯプロセッサ1020は次に、ＮＴ個の変調シンボルストリームをＮＴ個の送信機（transmitter, TMTR）1022a乃至1022tに提供する。様々な実施形態において、ＴＸ ＭＩＭＯプロセッサ1020は、データストリームのシンボルと、シンボルを送信するアンテナとにビームフォーミングの重みを加える。
【００６１】
各送信機1022は、それぞれのシンボルストリームを受信及び処理して１つ以上のアナログ信号を提供して、アナログ信号をさらに調整(例えば、増幅、フィルタリング及びアップコンバート)して、ＭＩＭＯチャネルによる送信に適した変調された信号を提供する。さらに、送信機1022a乃至1022tからのＮＴ個の変調された信号は、ＮＴ個のアンテナ1024a乃至1024tからそれぞれ送信される。
【００６２】
アクセス端末1050において、送信された変調信号は、ＮＲ個のアンテナ1052a乃至1052rによって受信され、各アンテナ1052からの受信信号は、それぞれの受信機(receiver, RCVR)1054a乃至1054rに提供される。各受信機1054はそれぞれの信号を調整(例えば、フィルタリング、増幅及びダウンコンバート)して、調整された信号をディジタル化してサンプルを提供して、さらにサンプルを処理して、対応する「受信」シンボルストリームを提供する。
【００６３】
ＲＸデータプロセッサ1060は、ＮＲ個の受信機1054からＮＲ個の受信シンボルストリームを受信して特定の受信機処理技術に基づいて処理して、ＮＴ個の「検出された」シンボルストリームを提供することができる。ＲＸデータプロセッサ1060は、各検出されたシンボルストリームを復調し、デインターリーブし、復号し、データストリームのトラフィックデータを回復することができる。ＲＸデータプロセッサ1060による処理は、基地局1010におけるＴＸ ＭＩＭＯプロセッサ1020及びＴＸデータプロセッサ1014によって行なわれる処理と相補的である。
【００６４】
プロセッサ1070は、既に記載したようにどの利用可能な技術を用いるかを周期的に決定することができる。さらに、プロセッサ1070は、行列の指数部分及び階数値部分を備えた逆方向リンクメッセージを作ることができる。
【００６５】
逆方向リンクメッセージは、通信リンク及び／又は受信データストリームに関する様々なタイプの情報を備えることができる。逆方向リンクメッセージは、データソース1036から幾つかのデータストリームのトラフィックデータも受信するＴＸデータプロセッサ1038によって処理され、変調器1080によって変調され、送信機1054a乃至1054rによって調整され、基地局1010に送り返される。
【００６６】
基地局1010において、アクセス端末1050からの変調された信号は、アンテナ1024によって受信され、受信機1022によって調整され、復調器1040によって復調され、ＲＸデータプロセッサ1042によって処理され、アクセス端末1050によって送信された逆方向リンクメッセージを抽出する。さらに、プロセッサ1030は、抽出されたメッセージを処理して、ビームフォーミングの重みを決定するためにどのプリコーディング行列を使用するかを決定することができる。
【００６７】
プロセッサ1030及び1070はそれぞれ、基地局1010及びアクセス端末1050における動作を指示(例えば、制御、調整、管理など)することができる。それぞれのプロセッサ1030及び1070は、プログラムコード及びデータを記憶するメモリ1032及び1072に関連付けることができる。プロセッサ1030及び1070はそれぞれ、アップリンク及びダウンリンクのための周波数及びインパルス応答推定値を導き出す計算も行うことができる。
【００６８】
ここに記載されている実施形態は、ハードウェア、ソフトウェア、ファームウェア、ミドルウェア、マイクロコード又はその任意の組合せで実施することができると理解すべきである。ハードウェアの実施において、処理ユニットは１つ以上の特定用途向け集積回路（application specific integrated circuit, ASIC）、ディジタル信号プロセッサ（digital signal processor, DSP）、ディジタル信号処理デバイス（digital signal processing device, DSPD）、プログラマブル論理デバイス（programmable logic device, PLD）、フィールドプログラマブルゲートアレイ（field programmable gate array, FPGA）、プロセッサ、コントローラ、マイクロコントローラ、マイクロプロセッサ、ここに記載されている機能を実行するために設計された他の電子ユニット、又はその組合せの中で実施することができる。
【００６９】
実施形態がソフトウェア、ファームウェア、ミドルウェア、あるいはマイクロコード、プログラムコード又はコードセグメントにおいて実施されるとき、これらは記憶コンポーネントのような機械読出し可能媒体に記憶することができる。コードセグメントは手続き、機能、サブプログラム、プログラム、ルーチン、サブルーチン、モジュール、ソフトウェアパッケージ、クラス、あるいは命令、データ構造又はプログラム文の任意の組合せを表わすことができる。コードセグメントは、情報、データ、引き数、パラメータ又はメモリ内容をパス及び／又は受信することによって、別のコードセグメント又はハードウェア回路に接続することができる。情報、引き数、パラメータ、データなどは、メモリ共有、メッセージパス、トークンパス、ネットワーク送信などを含む任意の適切な手段を使用して、パス、転送又は送信することができる。
【００７０】
ソフトウェアの実施において、ここに記載されている技術は、ここに記載されている機能を実行するモジュール(例えば、手続き、機能など)を用いて実施することができる。ソフトウェアコードはメモリユニットに記憶され、プロセッサによって実行することができる。メモリユニットはプロセッサ内に構成されるか、又はプロセッサの外部に構成することができ、その場合は技術的に知られている様々な手段によってプロセッサに通信上接続することができる。
【００７１】
図１１を参照すると、無線通信環境においてリンク割り当てブロック(ＬＡＢ)にインデックスを割り当てて、それに基づいてＬＡＢを編成することを可能にするシステム1100が示されている。例えば、システム1100は、基地局内に少なくとも部分的に存在することができる。システム1100は機能ブロックを含んでいるように表わされており、それはプロセッサ、ソフトウェア、又はその組合せ(例えば、ファームウェア)によって実施される機能を表わす機能ブロックであってもよいと理解すべきである。システム1100は、連携して動作することができる電気コンポーネント（electrical component）の論理グループ1102を含む。例えば、論理グループ1102は、共有ＬＡＢにインデックスを割り振る電気コンポーネント1104を含むことができる。さらに、論理グループ1102は、アクセス端末の能力とそれぞれの対象受信者のアクセス端末の識別子のハッシュとに基づいて、非共有ＬＡＢにインデックスを割り付ける電気コンポーネント1106を備えることができる。さらに、論理グループ1102は、割り当てられたインデックスに基づいて編成された共有ＬＡＢ及び非共有ＬＡＢを送る電気コンポーネント1108を含むことができる。例えば、共有ＬＡＢ及び非共有ＬＡＢはフレーム内で編成することができる。さらに、システム1100は、電気コンポーネント1104、1106及び1108に関連する機能を実行するための命令を保持するメモリ1110を含むことができる。メモリ1110の外部にあるように示されているが、電気コンポーネント1104、1106及び1108の１つ以上がメモリ1110内に存在することができると理解すべきである。
【００７２】
図１２に移ると、無線通信環境において受信リンク割り当てブロック(ＬＡＢ)のサブセットを復号することを可能にするシステム1200が示されている。システム1200は、例えば、アクセス端末内に存在することができる。示されているように、システム1200は、プロセッサ、ソフトウェア、又はその組合せ(例えば、ファームウェア)によって実施される機能を表わすことができる機能ブロックを含んでいる。システム1200は、連携して動作することができる電気コンポーネントの論理グループ1202を含んでいる。論理グループ1202は、第１の範囲のインデックスに基づいて認識された共有ＬＡＢを復調する電気コンポーネント1204を含むことができる。さらに、論理グループ1202は、アクセス端末識別子のハッシュとアクセス端末の能力基準とに基づいて、第２の範囲のインデックスを識別する電気コンポーネント1206を含むことができる。例えば、アクセス端末の識別子は、アクセス端末に対応するＭＡＣＩＤであってもよく、アクセス端末の能力基準は、アクセス端末が復調することができる非共有ＬＡＢの数であってもよい。さらに、論理グループ1202は、第２の範囲のインデックスに基づいて認識された非共有ＬＡＢを復調する電気コンポーネント1208を含むことができる。さらに、システム1200は、電気コンポーネント1204、1206及び1208に関連する機能を実行するための命令を保持するメモリ1210を含むことができる。メモリ1210の外側にあるように示されているが、電気コンポーネント1204、1206及び1208はメモリ1210内に存在することができると理解すべきである。
【００７３】
上述は１つ以上の実施形態の例を含んでいる。上述の実施形態を記載する目的でコンポーネント又は方法の考えられる組合せを全て記載することは当然に不可能であるが、当業者は様々な実施形態の多くのさらなる組合せ及び置換が可能であると認識し得る。従って、記載された実施形態は、添付の請求項の意図及び範囲内に入る変更、修正及びバリエーションを全て包含することが意図されている。さらに、「含む（include）」との用語が詳細な説明又は請求項の何れかで使用されている限りにおいて、「備える（comprising）」が請求項において移行詞（transitional word）として用いられている場合に解釈されるときの「備える（comprising）」との用語と同様に、「含む（include）」との用語は包括することを意図している。
【符号の説明】
【００７４】
100,1000・・・無線通信システム、102,902,1010・・・基地局、104,106,108,110,112,114,1024,1052・・・アンテナ、116,122,800,1050・・・アクセス端末、118,124・・・順方向リンク、120,126・・・逆方向リンク、200・・・ＬＡＢにインデックスを付けるシステム、300・・・ＬＡＢセグメント内でＬＡＢを編成するシステム、500・・・無線通信環境において共有及び非共有ＬＡＢを含むフレームを送ることを容易にする方法、600・・・無線通信環境において制御メッセージのサブセットを復号することを容易にする方法、700・・・無線通信環境においてＬＡＢのサブセットを復号することを容易にする方法、900・・・無線通信環境においてＬＡＢにインデックスを付けることを容易にするシステム、1100・・・無線通信環境においてＬＡＢにインデックスを割り当てて、それに基づいてＬＡＢを編成することを可能にするシステム、1102,1202・・・電気コンポーネントの論理グループ、1200・・・無線通信環境において受信ＬＡＢのサブセットを復号することを可能にするシステム。
【図１】
2010517489.tif 000003
【図２】
2010517489.tif 000004
【図３】
2010517489.tif 000005
【図４】
2010517489.tif 000006
【図５】
2010517489.tif 000007
【図６】
2010517489.tif 000008
【図７】
2010517489.tif 000009
【図８】
2010517489.tif 000010
【図９】
2010517489.tif 000011
【図１０】
2010517489.tif 000012
【図１１】
2010517489.tif 000013
【図１２】
2010517489.tif 000014
【国際調査報告】
2010517489.tif 000015
2010517489.tif 000016